(57)【特許請求の範囲】
【請求項１】
内面の面形状に基づいて上部と下部とで異なるプリズム成分が設定された眼鏡レンズであって、
前記内面に形成された上部屈折力面と下部屈折力面とは、点状の1つの結合部でのみ接し、前記結合部における前記上部屈折力面と前記下部屈折力面の上下方向の傾きは、同一とされ、且つ前記上部屈折力面と前記下部屈折力面が、前記結合部の１点でねじられた関係にあって、前記上部屈折力面及び／又は前記下部屈折力面が、レンズ外面との厚みが鼻側もしくは耳側の何れか一方で厚く、他方で薄くなるように構成されて、前記上部及び／又は前記下部に所定のプリズム成分が設定されるとともに、
前記上部屈折力面と前記下部屈折力面の間は、前記上部屈折力面と前記下部屈折力面を滑らかに連結する曲面状の補間面とされていることを特徴とする眼鏡レンズ。
【請求項２】
前記上部屈折力面と前記補間面との境界線が、背面視において、前記結合部から左斜め上方に延びる直線状の左側上部境界線と、前記結合部から右斜め上方に延びる直線状の右側上部境界線とから構成され、
前記下部屈折力面と前記補間面との境界線が、背面視において、前記結合部から左斜め下方に延びる直線状の左側下部境界線と、前記結合部から右斜め下方に延びる直線状の右側下部境界線とから構成されていることを特徴とする請求項１に記載の眼鏡レンズ。
【請求項３】
前記内面が、前記上部屈折力面と前記下部屈折力面とで互いに面屈折力が異なる二重焦点面とされていることを特徴とする請求項１，２の何れかに記載の眼鏡レンズ。
【請求項４】
外面が、上側に遠方の物体を見るために使用する遠用領域を、下側に近方の物体を見るために使用する近用領域を、前記遠用領域と前記近用領域との間に連続的に度数が変化する累進領域を備えた累進屈折面とされ、
前記結合部が、前後方向において前記累進領域の途中位置と重なるように設けられていることを特徴とする請求項１，２の何れかに記載の眼鏡レンズ。
【請求項５】
前記内面が、前記上部屈折力面と前記下部屈折力面とで互いに面屈折力が異なる二重焦点面とされていることを特徴とする請求項４に記載の眼鏡レンズ。
【発明の詳細な説明】
【技術分野】
【０００１】
この発明は、眼鏡レンズに関し、特にレンズの上部と下部とで異なるプリズム成分が設定された眼鏡レンズに関する。
【背景技術】
【０００２】
人は、近方視の際、眼前の一点に視線を集中させるため両眼を内側に内転させる。このような機能を「輻輳」という。輻輳の機能が十分でない場合、近方に視線を移動させることが難しくなる。
【０００３】
このような輻輳不全を補助するための眼鏡レンズとして、例えば下記特許文献１及び特許文献２等に記載されたものがある。図８はその一例を示したものである。図８に示す眼鏡レンズ１００は、本体レンズ１０２の外面（前面）側の一部（近用領域）に、鼻側（同図における左側）に基底方向があるプリズム成分を有する補助レンズ１０４が形成されている。
このような眼鏡レンズを装用すれば、近方視の際の視線を補助レンズ１０４のプリズム効果により無理なく鼻側に屈曲させることができるため、輻輳力が十分でない場合、あるいは斜位や斜視がある場合に有効である。
【０００４】
しかしながら図８に示す眼鏡レンズ１００のように、レンズ前面に補助レンズ１０４を追加した場合、補助レンズ１０４と本体レンズ１０２との境界部１０６で段差が生じ、他人から見られた時の装用者の外観が損なわれる問題が生じる。
特に補助レンズ１０４のプリズム量を大きくした場合には境界部１０６での段差が大きくなり、また補助レンズ１０４自体を大きくした場合には境界部１０６の周長が長くなり、何れの場合も境界部１０６が目立ってしまい、補助レンズ１０４によるプリズム効果と見栄えの両立が難しい。
【先行技術文献】
【特許文献】
【０００５】
【特許文献１】特開平５−３０３０６３号公報
【特許文献２】特開２０１１−１０７２９８号公報
【特許文献３】特許第５４４２６５８号公報
【特許文献４】特許第４９９６００６号公報
【発明の概要】
【発明が解決しようとする課題】
【０００６】
本発明は以上のような事情を背景とし、レンズの上部と下部とで異なるプリズム成分が設定され且つレンズの上部と下部との間に明確な境界線が現れない眼鏡レンズを提供することを目的としてなされたものである。
【課題を解決するための手段】
【０００７】
而して請求項１は、内面の面形状に基づいて上部と下部とで異なるプリズム成分が設定された眼鏡レンズであって、前記内面に形成された上部屈折力面と下部屈折力面とは、点状の1つの結合部でのみ接し、前記結合部における前記上部屈折力面と前記下部屈折力面の上下方向の傾きは、同一とされ、且つ前記上部屈折力面と前記下部屈折力面が、前記結合部の１点でねじられた関係にあって、前記上部屈折力面及び／又は前記下部屈折力面が、レンズ外面との厚みが鼻側もしくは耳側の何れか一方で厚く、他方で薄くなるように構成されて、前記上部及び／又は前記下部に所定のプリズム成分が設定されるとともに、前記上部屈折力面と前記下部屈折力面の間は、前記上部屈折力面と前記下部屈折力面を滑らかに連結する曲面状の補間面とされていることを特徴とする。
【０００８】
請求項２は、請求項１において、前記上部屈折力面と前記補間面との境界線が、背面視において、前記結合部から左斜め上方に延びる直線状の左側上部境界線と、前記結合部から右斜め上方に延びる直線状の右側上部境界線とから構成され、前記下部屈折力面と前記補間面との境界線が、背面視において、前記結合部から左斜め下方に延びる直線状の左側下部境界線と、前記結合部から右斜め下方に延びる直線状の右側下部境界線とから構成されていることを特徴とする。
【０００９】
請求項３は、請求項１，２の何れかにおいて、前記内面が、前記上部屈折力面と前記下部屈折力面とで互いに面屈折力が異なる二重焦点面とされていることを特徴とする。
【００１０】
請求項４は、請求項１，２の何れかにおいて、外面が、上側に遠方の物体を見るために使用する遠用領域を、下側に近方の物体を見るために使用する近用領域を、前記遠用領域と前記近用領域との間に連続的に度数が変化する累進領域を備えた累進屈折面とされ、前記結合部が、前後方向において前記累進領域の途中位置と重なるように設けられていることを特徴とする。
【００１１】
請求項５は、請求項４において、前記内面が、前記上部屈折力面と前記下部屈折力面とで互いに面屈折力が異なる二重焦点面とされていることを特徴とする。
【００１２】
以上のように本発明によれば、レンズの上部と下部とで異なるプリズム成分が設定されており、装用者が遠方視のため視線を上部に移動させた際、又は近方視のため視線を下部に移動させた際、それぞれのプリズム効果により視線を目的の方向に矯正することができる。
【００１３】
本発明ではまた、結合部の上方と下方とにそれぞれプリズム成分の異なる領域が設けられており、視線を上下方向に大きく移動させた場合でも、所定のプリズム効果を得ることができる。
【００１４】
また、従来のようにレンズの外面側に補助レンズを形成した場合には、補助レンズとレンズ本体との境界部で段差が生じ、他人から見られた時の装用者の外観が損なわれる問題が生じるが、本発明ではレンズ内面の面形状に基づいてプリズム成分が設定されているためレンズ外面側に境界線は生じない。また、内面の上部屈折力面と下部屈折力面とは、点状の１つの結合部でのみ接し、結合部における上部屈折力面と下部屈折力面の上下方向の傾きは同一とされて、上部屈折力面と下部屈折力面の間は滑らかな補間面とされているので、上部屈折力面と下部屈折力面との間に明確な境界線は現れず、装用者の外観が損なわれることを良好に防止することができる。
また境界線や段差があることにより装用者自身が感じる違和感も、解消又は軽減することができる。
【００１５】
本発明ではまた、上部屈折力面と補間面との境界線を、結合部から左斜め上方に延びる直線状の左側上部境界線と、結合部から右斜め上方に延びる直線状の右側上部境界線で構成し、下部屈折力面と補間面との境界線を、結合部から左斜め下方に延びる直線状の左側下部境界線と、結合部から右斜め下方に延びる直線状の右側下部境界線とで構成しておくことができる（請求項２）。
このようにした場合、結合部を通って左右方向に延びる軸に対する、左側上部境界線、右側上部境界線、左側下部境界線、及び、右側下部境界線の角度によって補間面の大きさが決定される。例えばレンズ下部に大きなプリズム量を設定した場合にはレンズ上部とレンズ下部とで厚みの違いが大きくなるが、設計段階において上記角度を広げて補間面を大きく設定することより、上部屈折力面と下部屈折力面との間に明確な境界線が現れるのを防止することができる。
【００１６】
本発明では、レンズ内面を、上部屈折力面と下部屈折力面とで互いに面屈折力が異なる二重焦点面とすることで、遠用部（上部）と近用部（下部）において、度数とともにプリズム成分が異なる二重焦点レンズを提供することができる（請求項３）。
かかる請求項３においても上部屈折力面と下部屈折力面の間は滑らかな補間面とされているので、遠用部と近用部との間に明確な境界線は現れず、装用者の外観を損ねることを防止することができる。
【００１７】
本発明ではまた、外面を、遠方の物体を見るために使用する遠用領域と、近方の物体を見るために使用する近用領域と、これら遠用領域と近用領域との間で連続的に度数が変化する累進領域とを備えた累進屈折面とし、結合部を、前後方向において累進領域の途中位置と重なるように設けることで、遠用部と近用部において、度数とともにプリズム成分が異なる累進屈折力レンズを提供することができる（請求項４）。
【００１８】
累進屈折力レンズは、二重焦点レンズに対して中間部（累進領域）にて中間距離のものを視認することができることを特徴としたものであるが、累進屈折面の面形状を変化されてレンズの上部又は下部に特定のプリズム成分を付加すると中間部全体にねじれが生じて中間部の明視領域が収差でつぶれてしまう。
これに対し請求項４では、レンズ外面を累進屈折面とする一方、レンズ内面の結合部の１点で上部屈折力面又は下部屈折力面をねじることでレンズの上部又は下部のみに特定のプリズム成分を付加することができるため中間部での収差の発生を最小限に抑えることができる。
【００１９】
尚、累進屈折力レンズを構成する際には、外面を累進屈折面とする一方、レンズ内面を、上部屈折力面と下部屈折力面とで互いに面屈折力が異なる二重焦点面とし、全体として予定している加入度の一部を二重焦点面側に設定することができる。（請求項５）。
このようにすることで、累進領域の途中に位置する結合部のポイントで度数変化を大きくすることができる。これにより、従来の累進屈折力レンズに比して少ない眼球運動・回旋量で、遠用・近用の切替えが可能となり、疲労が軽減される。
尚、中間部における明視領域を確保するため、外面の累進屈折面における加入度を、内面の二重焦点面における加入度よりも大きくしておくのが望ましい。
【発明の効果】
【００２０】
以上のような本発明によれば、レンズの上部と下部とで異なるプリズム成分が設定され且つレンズの上部と下部との間に明確な境界線が現れない眼鏡レンズを提供することができる。
【図面の簡単な説明】
【００２１】
【図１】本発明の一実施形態の眼鏡レンズを示した図である。
【図２】（Ａ）同実施形態の眼鏡レンズの上部断面図である。（Ｂ）同実施形態の眼鏡レンズの下部断面図である。
【図３】同実施形態の眼鏡レンズでの補間面生成方法の説明図である。
【図４】同実施形態の眼鏡レンズの効果を説明するための図である。
【図５】本発明の他の実施形態の眼鏡レンズを示した図である。
【図６】同実施形態の眼鏡レンズにおける明視領域を比較例とともに示した図である。
【図７】全体加入度を２．００Ｄとした場合の実施例と従来の累進屈折力レンズである比較例の度数変化を示した図である。
【図８】従来の補助レンズ付き眼鏡レンズの一例を示した図である。
【発明を実施するための形態】
【００２２】
以下、本発明の一実施形態を図面に基づいて説明する。なお、以下の説明においては、当該レンズを用いた眼鏡を装用したときの装用者にとっての前後、左右、上下を、それぞれ、当該レンズにおける前後、左右、上下とする。
【００２３】
図１において眼鏡レンズ１０（以下、単にレンズとする場合がある）は、単焦点レンズの下部に、近方視の際の視線の移動を補助するプリズム成分を設定したものである。
レンズ１０はレンズ前面が球面形状をなしており、レンズ内面（後面）の上側に上部屈折力面１１が、下側に下部屈折力面１２が形成されている。
【００２４】
レンズ内面の上部屈折力面１１と下部屈折力面１２とは、点状の１つの結合部１３でのみ接して、結合部１３における上部屈折力面１１と下部屈折力面１２の上下方向の傾きは、同一とされている。
上部屈折力面１１と下部屈折力面１２との間は、上部屈折力面１１と下部屈折力面１２とを滑らかに連結する曲面状の補間面１６（図１（Ｂ）の斜線部分参照）とされている。
補間面１６は、非点収差を生じる面であり、以下、レンズ１０において、レンズ内面が補間面１６である部分を非点収差部２６、上部屈折力面１１である部分を上部２１、下部屈折力面１２である部分を下部２２とする。
【００２５】
図２（Ａ）はレンズ１０の上部２１でのレンズ断面形状を、また図２（Ｂ）は下部２２でのレンズ断面形状を示した図である。
本例ではレンズ１０の上部２１に特定のプリズム成分を設定せず、レンズ１０の下部２２のみに鼻側に基底方向があるプリズム成分を設定している。このため、図２（Ａ）で示すように上部２１ではレンズ内面の上部屈折力面１１が、前後方向を示すＺ軸に対して対称に形成される一方、図２（Ｂ）で示すようにレンズ１０の下部２２では下部屈折力面１２とレンズ前面との厚みが鼻側（図中左側）で厚く、耳側（図中右側）で薄くなるように、下部屈折力面１２全体が前後方向に傾斜している。
このため本例では、上部屈折力面１１と下部屈折力面１２の面形状を比べると、左右方向の縁部近傍で前後方向の位置が互いに異なっているが、前述のように上部屈折力面１１と下部屈折力面１２との間は、補間面１６により滑らかに連結されているため、上部屈折力面１１と下部屈折力面１２との間に明確な境界線は生じない。
【００２６】
次にレンズ１０の設計方法について説明する。与えられた処方度数等により、上部屈折力面１１、下部屈折力面１２及び補間面１６を決定する手法については、上記特許文献３に詳説されているため、ここでは詳説しないが、まず、装用者の処方度数に基づいて、レンズ外面の屈折力面及びレンズ内面の上部屈折力面１１、下部屈折力面１２を決定する。
【００２７】
次に図１（Ｂ）に示すように、結合部１３を幾何学中心ＯからＹ軸方向にδだけ下がった位置に定め、結合部１３における上部屈折力面１１と下部屈折力面１２のＺ座標値及びＹ軸方向の傾きを算出し、それぞれの差を求める。そして、それらの差がなくなるように、下部屈折力面１２をＺ軸方向に移動し、かつ、上部屈折力面１１に対して傾ける。
加えて本例では、レンズ１０の下部２２にて近方視の際の視線の移動を補助するプリズム成分が得られるように、レンズ内面の結合部１３の１点で下部屈折力面１２をねじってレンズ外面との厚みが鼻側で厚く、耳側で薄くなるようにする。
尚、本例では図１で示すようにレンズ１０の幾何学中心Ｏを通って左右方向に延びる軸をＸ軸、幾何学中心Ｏを通って上下方向に延びる軸をＹ軸、幾何学中心Ｏを通ってＸ軸及びＹ軸に直交する軸をＺ軸とする。
【００２８】
そして、図１（Ｂ）に示すように、背面視において、左側上部境界線１４Ｌ、右側上部境界線１４Ｒ（一括して言及するときは、「上部境界線１４」と表記する）を、結合部１３から、結合部１３を通ってＸ軸に平行な軸Ａに対しそれぞれ所定の角度θ1をなして、左斜め上方、右斜め上方に向かって延びる直線とする。また、左側下部境界線１５Ｌ、右側下部境界線１５Ｒ（一括して言及するときは、「下部境界線１５」と表記する。）を、結合部１３から軸Ａに対しそれぞれ所定の角度θ2をなして、左斜め下方、右斜め下方に向かって延びる直線とする。尚、ここでは、角度θ1及びθ2を、一括して「内面角度」という。
【００２９】
次に、図３で示すように上部境界線１４上の第１の点Ｐ1、及び、第１の点Ｐ1とＸ座標が同一でＹ座標が若干（ここでは１ｍｍ）大きい第２の点Ｐ0、第１の点Ｐ1とＸ座標が同一の下部境界線１５上の第３の点Ｐ2、及び、第３の点Ｐ2とＸ座標が同一でＹ座標が若干（ここでは１ｍｍ）小さい第４の点Ｐ3について、それぞれのＺ座標を算出する。なお、Ｙ座標は上方に向かって大きくなるものとする。そして、これら４点を通る曲線を、Ｎ−スプライン補間法により求め、当該曲線の第１の点Ｐ1と第３の点Ｐ2の間の部分を補間ラインとし、Ｘ軸方向の間隔を所定の短い間隔（ここでは、１ｍｍ）として、それぞれ補間ラインを生成して、それらの補間ラインを連結した面を、補間面１６とした。
【００３０】
次にレンズ１０の製造方法について説明する。まず、上モールドと下モールドとで囲まれる空間内に液状の熱硬化性合成樹脂を充填し、加熱して固化することにより、レンズ１０の前駆体となるセミフィニッシュ品を得る。上モールドの下面は、得たい外面の屈折力面に対応した凹形状とされており、セミフィニッシュ品の段階で、セミフィニッシュ品の上面に、外面の屈折面が形成される。下モールドは、上面が上に凸となる球面形状とされているため、セミフィニッシュ品の下面は凹状の球面状となる。
【００３１】
次に、セミフィニッシュ品の下面を、上記のように設計した上部屈折力面１１、下部屈折力面１２及び補間面１６となるように、切削加工することにより、レンズ１０の内面を形成する。この時の切削加工にて形成された内面の面形状に基づいて処方度数とともに所定のプリズム成分がレンズ１０の下部２２に付与される。
【００３２】
このようにして設計・製造された本実施形態のレンズ１０は、レンズ１０の下部２２にのみ鼻側に基底方向があるプリズム成分が設定されている。このため図４（Ａ）で示すように装用者が遠方視のため視線をレンズ１０の上方に移動させた際、レンズ１０の上部２１と通して視線は通常通り正面前方に向けられ遠方の物体を視認することができる。一方、図４（Ｂ）で示すように装用者が近方視のため視線を下方に移動させた際、プリズム成分が設定されたレンズ１０の下部２２と通して視線の方向が内向きに屈曲するため、無理に両眼を内側に内転させなくても近方の物体を視認することができる。
【００３３】
また本実施形態では、レンズの下部２２全面に所定のプリズム成分が、レンズ下縁に至るまで設けられているため、視線を下方向に大きく移動させた場合でも、所定のプリズム効果を得ることができる。
【００３４】
また本実施形態では、レンズ内面の面形状に基づいてプリズム成分が設定されているためレンズ外面側に境界線は生じない。また、レンズ内面の上部屈折力面１１と下部屈折力面１２とは、点状の１つの結合部１３でのみ接し、結合部１３における上部屈折力面１１と下部屈折力面１２の上下方向の傾きは同一とされて、上部屈折力面１１と下部屈折力面１２の間は滑らかな補間面１６とされているので、上部屈折力面１１と下部屈折力面１２との間に明確な境界線は現れず、装用者の外観を損ねることを良好に防止することができる。
【００３５】
また本実施形態では、上部屈折力面１１と補間面１６との境界線が、結合部１３から左斜め上方に延びる直線状の左側上部境界線１４Ｌと、結合部１３から右斜め上方に延びる直線状の右側上部境界線１４Ｒとから構成され、更に下部屈折力面１２と補間面１６との境界線が、結合部１３から左斜め下方に延びる直線状の左側下部境界線１５Ｌと、結合部１３から右斜め下方に延びる直線状の右側下部境界線１５Ｒとから構成されており、本実施形態によれば、結合部１３を通って左右方向に延びる軸Ａに対する、左側上部境界線１４Ｌ、右側上部境界線１４Ｒ、左側下部境界線１５Ｌ、及び、右側下部境界線１５Ｒの傾き（内面角度θ1，θ2）によって補間面１６の大きさが決定される。
例えばレンズ１０の下部２２のみに大きなプリズム量を設定した場合には、レンズの上部２１と下部２２とで厚みの違いが大きくなるが、設計段階において内面角度θ1，θ2を大きくして補間面１６を広く設定することより、上部屈折力面１１と下部屈折力面１２との間に明確な境界線が現れるのを防止することができる。
【００３６】
尚、本実施形態は単焦点レンズの下部にプリズム成分を設定したものであったが、上部屈折力面１１と下部屈折力面１２とで互いに面屈折力を異ならせ、レンズの内面を二重焦点面とすれば、遠用部（上部２１）と近用部（下部２２）において、度数とともにプリズム量が異なる二重焦点レンズを提供することができる。
【００３７】
図５は本発明の他の実施形態の眼鏡レンズを示した図である。
同実施形態に係る眼鏡レンズ３０は、累進屈折力レンズの下部に、近方視の際の視線の移動を補助するプリズム成分を設定したものである。
このレンズ３０は上側に遠方の物体を見るために使用する遠用部３１を、下側に近方の物体を見るために使用する近用部３２を、遠用部３１と近用部３２との間に度数が変化する中間部３３を備えた構成とされている。
【００３８】
レンズ３０の外面（前面）３５は、上側に遠方の物体を見るために使用する遠用領域４１を、下側に近方の物体を見るために使用する近用領域４２を、遠用領域４１と近用領域４２との間に連続的に度数が変化する累進領域４３を備え、近用領域４２を鼻側に内寄せすることにより、中心線の左右で非対称とされた累進屈折面とされている。
【００３９】
具体的には、外面３５は、上記特許文献４記載の累進屈折面、すなわち、直交座標系において、Ｚ＝Ｆ（Ｘ，Ｙ）として与えられるＺを連続的に結び付けた下記式[数１]で表される面としたとき、ｎ＝８〜２０（好ましくは、ｎ＝１１〜１５）の範囲から選択されるｎ次のべき乗関数であって、Ｘの奇数次項とＹの奇数次項とを含むべき乗関数で構成された面とされている。より具体的には、べき乗関数の次数はｎ＝１３とされている。
【００４０】
【数１】
0006598695.tif 000002
【００４１】
なお、与えられた加入度数等の条件を満たすように、係数Ａabを変えながら外面３５の式を繰り返し設定することにより、最終的に与えられた条件を満たす係数Ａabが決まり、外面３５が決まることとなる。
【００４２】
また、レンズ３０の内面（後面）３６は、図５（Ｂ）で示すように上側に上部屈折力面５１を、下側に下部屈折力面５２が形成されている。この例では上部屈折力面５１と下部屈折力面５２とで互いに面屈折力が異なっており、レンズの内面３６が二重焦点面とされている。
更に本例では、レンズ３０の上部（即ち内面３６が上部屈折力面５１である部分）に特定のプリズム成分を設定せず、レンズ１０の下部（即ち内面３６が下部屈折力面５２である部分）のみに鼻側に基底方向があるプリズム成分を設定している。このため、前述の図２（Ｂ）で示した下部屈折力面１２と同様に、レンズ前面３５との厚みが鼻側で厚く、耳側（図中右側）で薄くなるように、下部屈折力面５２全体が前後方向に傾斜している。
【００４３】
図５（Ｂ）に示すように、上部屈折力面５１と下部屈折力面５２とは、点状の１つの結合部５３でのみ接し、結合部５３における上部屈折力面５１と下部屈折力面５２の上下方向の傾きは、同一とされ、上部屈折力面５１と下部屈折力面５２との間は、上部屈折力面５１と下部屈折力面５２とを滑らかに連結する曲面状の補間面５４（図５（Ｂ）の斜線部分参照）とされている。
【００４４】
与えられた処方度数等により、上部屈折力面５１、下部屈折力面５２及び補間面５４を決定する手法については、前述の第１の実施形態と同様である。
但し、結合部５３が前後方向において外面３５の累進領域４３の途中位置に重なるように、結合部５３は幾何学中心ＯからＹ軸方向にδだけ下がった位置に定めておく。例えば幾何学中心Ｏから下方に１２ｍｍの累進帯長が設定されたレンズにおいて、図５（Ｂ）のδが７ｍｍとなる位置に結合部５３を設けておく。
そして結合部５３における上部屈折力面５１と下部屈折力面５２のＺ座標値及びＹ軸方向の傾きを算出し、それぞれの差を求める。そして、それらの差がなくなるように、下部屈折力面５２をＺ軸方向に移動し、かつ、上部屈折力面５１に対して傾ける。
加えて本例では、レンズ３０の下部にて近方視の際の視線の移動を補助するプリズム成分が得られるように、レンズ内面の結合部５３の１点で下部屈折力面５２をねじってレンズ外面３５との厚みが鼻側で厚く、耳側で薄くなるようにする。
そして上部屈折力面５１と下部屈折力面５２との間は前述の第１の実施形態と同様の手法を用いて補間面５４にて連結する。
【００４５】
尚、レンズ３０では、外面３５の累進屈折面における加入度（以下、「外面加入度」という。）は、内面３６の二重焦点面における加入度（以下、「内面加入度」という。）よりも大きくされている。全体として得たい加入度（以下、「全体加入度」という。）から外面加入度を引いたものが、内面加入度となる。内面加入度を抑制した方が、非点収差領域が縮小されて、中間部３３の明視領域が拡大されるからである。
【００４６】
さらに、レンズ３０では、内面加入度を０．７５Ｄ以下とした。内面加入度を０．７５Ｄより大きくした場合には、非点収差領域の縮小効果が小さく、中間部３３の見え方が不良となる虞が大きくなるからである。１．００Ｄから４．２５Ｄまで０．２５Ｄ間隔に設定した全体加入度に対する、外面加入度及び内面加入度の例を、表１に示す。但し、例えば、全体加入度を１．２５Ｄとする場合に、外面加入度を１．００Ｄ、内面加入度を０．２５Ｄとしたり、全体加入度を２．００Ｄとする場合に、外面加入度を１．５０Ｄ、内面加入度を０．５０Ｄとしたりする等、表１に示すもの以外の加入度設定としてもよい。表１では、外面加入度は内面加入度よりも０．２５Ｄ以上大きくなっているが、これは、加入度が０．２５Ｄ刻みで設定されているからである。
【００４７】
【表１】
0006598695.tif 000003
【００４８】
またレンズ３０を製造する際には、レンズ３０の前駆体となるセミフィニッシュ品を得る段階で、セミフィニッシュ品の上面に、外面３５の累進屈折面が形成される。尚、上モールドは、累進屈折面の加入度０．７５Ｄから３．５０Ｄまで０．２５Ｄ間隔に対応する１２種類が、ベースカーブの種類毎に用意されている。下モールドは、上面が上に凸となる球面状の１種類とされているため、セミフィニッシュ品の下面は凹状の球面状となる。
【００４９】
次に、セミフィニッシュ品の下面を、上記のように設計した上部屈折力面５１、下部屈折力面５２及び補間面５４からなる二重焦点面となるように、切削加工することにより、レンズ３０の内面３６を形成する。この時の切削加工にて形成された内面の面形状に基づいて処方度数とともに所定のプリズム成分がレンズ３０の下部に付与される。
【００５０】
以上、説明したように、レンズ３０は、外面３５が累進屈折面とされ、内面３６は、上部屈折力面５１と下部屈折力面５２との間に明確な境界線が現れないいわばシームレスな二重焦点面とされている。したがって、外面３５にも内面３６にも明確な境界線が現れず、装用者の外観を損ねる虞が低減される。
【００５１】
図６は累進屈折力レンズの下部のみに特定のプリズム成分を付加した場合の明視領域の変化を模式的に示した図である。同図において白地部分は明視領域である。
図６（Ａ）は、累進屈折面が形成された従来の累進屈折力レンズにおける明視領域を示している。この場合において、レンズの面形状を変化させてレンズの下部のみに特定のプリズム成分を付加すると中間部３３全体にねじれが生じて図６（Ｃ）で示すように中間部３３の明視領域が収差でつぶれてしまう。
これに対し本実施形態では、レンズ内面の結合部５３の１点で下部屈折力面５２をねじることでレンズの下部のみに特定のプリズム成分を付加することができるため図６（Ｂ）で示すように中間部３３での収差の発生を最小限に抑えることが可能である。
【００５２】
図７は、全体加入度を２．００Ｄとした場合の実施例と、従来の累進屈折力レンズである比較例のレンズ縦方向中心線での度数変化を示した図である。
この実施例（実線）は累進帯長１２ｍｍの累進屈折力レンズで、全体加入度２．００Ｄに対し累進屈折面における加入度を１．２５Ｄ、二重焦点面における加入度を０．７５Ｄとしたもので、比較例（破線）は累進屈折面だけで加入度２．００Ｄとしたものである。
同図で示すようにこの実施例では、累進領域が始まる幾何学中心Ｏ近傍において度数変化が緩やかで正面視がしやすい。また幾何学中心Ｏから７ｍｍ下方の結合部５３の位置に相当するポイントの下方では、加入度が比較例よりも大きくなっている。すなわち、近用部３２が上方に拡大されている。従って、実施例では比較例に比して少ない眼球運動・回旋量で、遠用・近用の切替えが可能である。
【００５３】
尚、上記実施形態は、近方視の際の移動を補助する目的でレンズの下部にのみ鼻側に基底方向があるプリズム成分を設定した例であったが、これとは逆に遠方を見る際、眼球が外側（耳側）に戻り難い、即ち開散力が弱い場合には遠方視の際の移動を補助する目的で、レンズの上部にのみ耳側に基底方向があるプリズム成分を設定することも可能である。
また乱視度数が処方された場合は、レンズの内面に乱視度数成分を付加することが可能である等、本発明は、その趣旨を逸脱しない範囲において様々変更を加えた形態で実施可能である。
【符号の説明】
【００５４】
１０，３０  眼鏡レンズ
１１，５１  上部屈折力面
１２，５２  下部屈折力面
１３，５３  結合部
１４Ｌ，１４Ｒ  上部境界線
１５Ｌ，１５Ｒ  下部境界線
１６，５４  補間面
２１  上部
２２  下部
３５  外面
３６  内面
４１  遠用領域
４２  近用領域
４３  累進領域
【図１】
0006598695.tif 000004
【図２】
0006598695.tif 000005
【図３】
0006598695.tif 000006
【図４】
0006598695.tif 000007
【図５】
0006598695.tif 000008
【図６】
0006598695.tif 000009
【図７】
0006598695.tif 000010
【図８】
0006598695.tif 000011